(57)【要約】【課題】地上アナログ放送から地上ディジタル放送への移行に伴う放送信号受信装置の不具合を解消する。【解決手段】アナログチューナオン／オフ判定部１２Ｄは、時計情報取得部１２Ａより現在の日付及び時刻を取得するか、チューナ選局部１２Ｂより地上アナログ放送波の受信判断結果を取得するか、又は、アナログ番組表取得部１２Ｃより地上アナログ放送波の受信判断結果を取得してアナログチューナ１４が地上アナログ放送波を受信しているか否かを判定する。アナログチューナオン／オフ判定部１２Ｄは、アナログチューナ１４が地上アナログ放送波を受信していないと判定した場合には、スイッチ１３をオンからオフにするための制御信号を生成し、この制御信号をスイッチ１３に供給し、スイッチ１３をオンからオフにする制御を行う。【選択図】図１
2009021960.tif 000002
【特許請求の範囲】
【請求項１】
アナログ放送信号を受信するアナログ放送信号受信手段と、
上記アナログ放送信号の受信が停止されたか否かを判定するアナログ停波判定手段と、
上記アナログ停波判定手段によって上記アナログ放送信号の受信が停止されたと判定された場合に、上記アナログ放送信号受信手段が有する電源を遮断するように制御する制御手段と
を備えることを特徴とする信号受信装置。
【請求項２】
ディジタル放送信号を受信するディジタル放送信号受信手段をさらに備えることを特徴とする請求項１記載の信号受信装置。
【請求項３】
上記アナログ停波判定手段は、時計情報取得部より供給された現在の日付が予め定められたアナログ放送停波日を超えている場合に、上記アナログ放送信号の受信が停止された旨の判定を行うことを特徴とする請求項１記載の信号受信装置。
【請求項４】
上記アナログ停波判定手段は、上記アナログ放送信号受信手段に対するチャンネルサーチが行われた結果、アナログ放送が無いと判断された場合に、上記アナログ放送信号の受信が停止された旨の判定を行うことを特徴とする請求項１記載の信号受信装置。
【請求項５】
上記アナログ停波判定手段は、上記アナログ放送信号受信手段がＥＰＧ（Electric Program Guide）信号を受信しない場合に、上記アナログ放送信号の受信が停止された旨の判定を行うことを特徴とする請求項１記載の信号受信装置。
【請求項６】
上記制御手段は、上記アナログ停波判定手段によって上記アナログ放送信号の受信が停止されたと判定された場合に、上記アナログ放送信号の受信操作表示をメニュー表示画面から削除するように制御することを特徴とする請求項１記載の信号受信装置。
【請求項７】
上記制御手段は、ユーザの操作に応じて表示部に上記アナログ放送信号受信手段をオン又はオフにするためのオン／オフ選択メニューを表示し、上記アナログ放送信号受信手段をオンにする選択がなされた場合に、上記アナログ放送信号受信手段をオンにするように制御することを特徴とする請求項１記載の信号受信装置。
【請求項８】
上記制御手段は、ユーザの操作に応じて表示部に上記アナログ放送信号受信手段をオン又はオフにするためのオン／オフ選択メニューを表示し、上記アナログ放送信号受信手段をオフにする選択がなされた場合に、上記アナログ放送信号受信手段をオフにするように制御することを特徴とする請求項１記載の信号受信装置。
【請求項９】
アナログ放送信号を受信するアナログ放送信号受信手段と、
上記アナログ放送信号の受信が停止されたか否かを判定するアナログ停波判定手段と、
上記アナログ停波判定手段によって上記アナログ放送信号の受信が停止されたと判定された場合に、上記アナログ放送信号の受信の停止を告知するように制御する制御手段と
を備えることを特徴とする信号受信装置。
【請求項１０】
アナログ放送信号を受信するアナログ放送信号受信手段と、
上記アナログ放送信号の受信が停止されたか否かを判定するアナログ停波判定手段と、
上記アナログ停波判定手段によって上記アナログ放送信号の受信が停止されたと判定された場合に、上記アナログ放送信号の受信に関する表示をメニュー表示画面から削除するように制御する制御手段と
を備えることを特徴とする信号受信装置。
【発明の詳細な説明】
【技術分野】
【０００１】
本発明は、異なる方式への移行に伴う不具合を解消する機能を備えた信号受信装置に関する。
【背景技術】
【０００２】
地上ディジタル放送は、２００３年１２月に東京、大阪、名古屋の三大都市圏で地上波のＵＨＦ（Ultra-High Frequency）帯を使用して開始されて以来、アナログ周波数を変更することにより段階的に送信電力が増強されている。地上ディジタル放送は、映像及び音声の高品質化、多チャンネル化、安定した移動受信サービスの実現や、多彩な放送サービスの提供によるビジネスチャンスの拡大、送信電力の削減よる省エネルギー化、視聴者との一体化が可能な双方向性を活用した放送サービスの実現等、視聴者及び放送事業者の双方に大きな利点をもたらす。一方、地上アナログ放送は、２０１１年７月までに終了が予定されている。そのため、現在、地上アナログ放送から地上ディジタル放送への切り替えに伴う様々な受信制御技術が提案されている。
【０００３】
地上ディジタル放送の受信が可能なディジタル機器の多くは、ディジタルチューナだけでなくアナログチューナをも搭載している。例えば、特許文献１には、低消費電力でアナログ及びディジタルの両放送の番組データを受信することが可能な受信装置の技術が開示されている。
【０００４】
【特許文献１】特開２００７−８８７１７号公報
【発明の開示】
【発明が解決しようとする課題】
【０００５】
しかしながら、このようなアナログ及びディジタルの両放送の番組データを受信することが可能な受信装置は、実際に地上アナログ放送波が停波となった場合であっても、依然、アナログチューナの電源がオン状態でありメニュー画面にアナログチューナに関する設定表示がされたままの状態である等、地上アナログ放送の受信機能が残存しており、地上アナログ放送の終了時、ユーザが誤ってアナログチャンネルを選局した場合に不具合を生じることがある。
【０００６】
本発明は、このような従来の実情に鑑みて提案されたものであり、地上アナログ放送の終了後に生じる不具合を解消する信号受信装置を提供することを目的とする。
【課題を解決するための手段】
【０００７】
上述した目的を達成するために、本発明に係る信号受信装置は、アナログ放送信号を受信するアナログ放送信号受信手段と、アナログ放送信号の受信が停止されたか否かを判定するアナログ停波判定手段と、上記アナログ停波判定手段によって上記アナログ放送信号の受信が停止されたと判定された場合に、上記アナログ放送信号受信手段が有する電源を遮断するように制御する制御手段とを備えることを特徴とする。
【０００８】
また、上述した目的を達成するために、本発明に係る信号受信装置は、アナログ放送信号を受信するアナログ放送信号受信手段と、アナログ放送信号の受信が停止されたか否かを判定するアナログ停波判定手段と、上記アナログ停波判定手段によって上記アナログ放送信号の受信が停止されたと判定された場合に、上記アナログ放送信号の受信の停止を告知するように制御する制御手段とを備えることを特徴とする。
【０００９】
また、上述した目的を達成するために、本発明に係る信号受信装置は、アナログ放送信号を受信するアナログ放送信号受信手段と、アナログ放送信号の受信が停止されたか否かを判定するアナログ停波判定手段と、上記アナログ停波判定手段によって上記アナログ放送信号の受信が停止されたと判定された場合に、当該アナログ放送信号の受信に関する表示をメニュー表示画面から削除するように制御する制御手段とを備えることを特徴とする。
【発明の効果】
【００１０】
本発明によれば、アナログ放送の終了後にユーザが誤ってアナログ放送を選局することを防止し、利便性を向上させるとともに省エネルギー化を実現することが可能となる。
【発明を実施するための最良の形態】
【００１１】
以下、本発明を適用した具体的な実施の形態について、図面を参照しながら詳細に説明する。
【００１２】
図１は、本実施の形態におけるテレビジョン放送信号受信装置１の内部構成を示す図である。テレビジョン放送信号受信装置１は、電源１１と、制御手段としてのシステムコントローラ１２と、スイッチ１３と、アナログチューナ１４と、映像処理部１５と、ディジタルチューナ１６と、デコーダ１７と、表示処理部１８と、表示部１９とを備えて構成される。以下、アナログチューナ１４は、地上アナログテレビジョン放送信号（地上アナログテレビジョン放送波）を受信し、ディジタルチューナ１６は、地上ディジタルテレビジョン放送信号（地上ディジタルテレビジョン放送波）を受信する場合について説明する。
【００１３】
電源１１は、スイッチ１３を配した給電線を通じてアナログチューナ１４に給電する。電源１１からアナログチューナ１４への給電は、スイッチ１３が、後述するアナログチューナオン／オフ判定部１２Ｄの制御に基づいてオン状態とされている場合に行われるが、スイッチ１３がオフ状態とされている場合には行われない。また、電源１１は、アナログチューナ１４への給電線とは別の給電線を通じてディジタルチューナ１６にも給電する。
【００１４】
システムコントローラ１２は、時計情報取得部１２Ａと、チューナ選局部１２Ｂと、アナログ番組表取得部１２Ｃと、アナログチューナオン／オフ判定部１２Ｄと、メニューデータ生成部１２Ｅとを備える。システムコントローラ１２は、ＣＰＵ、ＲＯＭ、及びＲＡＭを備え、ＣＰＵがＲＯＭに記憶されている制御プログラムを読み出してＲＡＭ上で実行することにより、システムコントローラ１２が有する機能ブロックの処理を制御するとともに、テレビジョン放送信号受信装置１の処理全般を制御する。
【００１５】
時計情報取得部１２Ａは、例えばディジタルチューナ１６にて受信される地上ディジタルテレビジョン放送信号に含まれる時刻情報より現在の日付及び時刻の情報（時計情報）を取得する。
【００１６】
チューナ選局部１２Ｂは、アナログチューナ１４に対してチャンネルサーチを行い、チャンネルサーチ情報が取得できるか否かを判断する。
【００１７】
アナログ番組表取得部１２Ｃは、アナログチューナ１４より地上アナログ放送におけるＥＰＧ（Electric Program Guide）信号の検出処理を行い、ＥＰＧ信号を検出したか否かを示すＥＰＧ検出結果情報を生成する。
【００１８】
アナログチューナオン／オフ判定部１２Ｄは、アナログチューナ１４が地上アナログ放送波を受信しているか否かを判定し、地上アナログ放送波の受信が停止されたと判定した場合には、地上アナログ放送波の停波に伴う種々の制御を行う。
【００１９】
アナログチューナオン／オフ判定部１２Ｄは、時計情報取得部１２Ａより現在の日付及び時刻を取得する。アナログチューナオン／オフ判定部１２Ｄは、現在の日付が予め定められたアナログ放送停波日である２０１１年７月２５日を超えている場合には地上アナログ放送波の受信が停止されていると判定する。
【００２０】
チューナ選局部１２Ｂは、アナログチューナ１４に対してチャンネルサーチを行った結果、地上アナログ放送波を受信できた場合には、地上アナログ放送が放送されている旨のチャンネルサーチ情報を生成する。一方、チューナ選局部１２Ｂは、アナログチューナ１４に対してチャンネルサーチを行った結果、地上アナログ放送を受信できなかった場合には、地上アナログ放送が放送されていない旨のチャンネルサーチ情報を生成する。
【００２１】
アナログチューナオン／オフ判定部１２Ｄは、チューナ選局部１２Ｂよりチャンネルサーチ情報を取得する。アナログチューナオン／オフ判定部１２Ｄは、チューナ選局部１２Ｂよりチャンネルサーチが行われていない旨のチャンネルサーチ情報を取得した場合には地上アナログ放送波の受信が停止されていると判定する。
【００２２】
アナログチューナオン／オフ判定部１２Ｄは、アナログ番組表取得部１２ＣよりＥＰＧ検出結果情報を取得する。アナログチューナオン／オフ判定部１２Ｄは、アナログ番組表取得部１２ＣよりＥＰＧ信号を検出していない旨のＥＰＧ検出結果情報を取得した場合には、地上アナログ放送波の受信が停止されていると判定する。
【００２３】
このように、アナログチューナオン／オフ判定部１２Ｄは、時計情報取得部１２Ａより現在の日付及び時刻を取得するか、チューナ選局部１２Ｂより地上アナログ放送波の受信判断結果を取得するか、又は、アナログ番組表取得部１２Ｃより地上アナログ放送波の受信判断結果を取得してアナログチューナ１４が地上アナログ放送波を受信しているか否かを判定する。
【００２４】
アナログチューナオン／オフ判定部１２Ｄは、アナログチューナ１４が地上アナログ放送波を受信していないと判定した場合には、スイッチ１３をオンからオフにするための制御信号を生成し、この制御信号をスイッチ１３に供給し、スイッチ１３をオンからオフにする制御を行う。一方、アナログチューナオン／オフ判定部１２Ｄは、アナログチューナ１４が地上アナログ放送波を受信していると判定した場合にはこの制御信号を生成せず、スイッチ１３は、オンの状態が維持される。
【００２５】
なお、アナログチューナオン／オフ判定部１２Ｄが行う制御処理はこれに限られるものではなく、例えば、アナログチューナ１４が地上アナログ放送波を受信していないと判定した場合に、表示部１９が備えるディスプレイに表示されるメニュー表示画面から地上アナログ放送波の受信に関する表示を削除するような制御を行うようにしてもよい。
【００２６】
例えば図２（Ａ）に示すように、メニュー画面が複数の放送のアイコン（例えば音楽放送ａ１、映画放送ａ２、地上アナログ放送ａ３、地上ディジタル放送ａ４、ＢＳディジタル放送ａ５、ＣＳディジタル放送ａ６等）を有し、ユーザがカーソルを地上アナログ放送ａ３のアイコンに移動させると地上アナログ放送のチャンネル（例えばチャンネル８、チャンネル１０、チャンネル１２、チャンネル１４、チャンネル１６等）の選択表示Ｘ１がなされるとする。アナログチューナオン／オフ判定部１２Ｄは、アナログチューナ１４が地上アナログ放送波を受信していないと判定した場合、アナログ放送チャンネル選択用の選択表示Ｘ１を削除するための制御信号を生成する。
【００２７】
また、例えば図２（Ｂ）に示すように、メニュー画面が複数の機能設定用のアイコン（例えばＢＳ／ＣＳディジタル視聴年齢制限ｂ１、ディジタル放送地域設定ｂ２、地上アナログチャンネル設定ｂ３、地上アナログチャンネルスキャンｂ４、地上アナログ自動ステレオ受信ｂ５、Ｇガイド設定ｂ６等）を有し、ユーザが、カーソルを例えば地上アナログチャンネルスキャンｂ４に移動させると地上アナログチャンネルスキャン用のアイコン設定がなされるとする。アナログチューナオン／オフ判定部１２Ｄは、アナログチューナ１４が地上アナログ放送波を受信していないと判定した場合、例えば地上アナログチャンネル設定ｂ３、地上アナログチャンネルスキャンｂ４、地上アナログ自動ステレオ受信ｂ５、及びＧガイド設定ｂ６からなる地上アナログ放送波の受信設定用の選択表示Ｘ２を削除するための制御信号を生成する。
【００２８】
アナログチューナオン／オフ判定部１２Ｄは、生成した制御信号をメニューデータ生成部１２Ｅに供給する。メニューデータ生成部１２Ｅは、アナログチューナオン／オフ判定部１２Ｄより供給された制御信号に基づいて地上アナログ放送波の受信に関する表示を削除するためのメニューデータを生成し、このメニューデータを表示処理部１８に供給する。なお、アナログチューナオン／オフ判定部１２Ｄは、アナログチューナ１４が地上アナログ放送波を受信していると判定した場合には、この制御信号を生成せずにアナログチューナ１４の設定画面は維持される。
【００２９】
また、例えば、アナログチューナオン／オフ判定部１２Ｄは、アナログチューナ１４が地上アナログ放送波を受信していないと判定した場合に、仮にユーザがリモコン操作により地上アナログ放送のチャンネルを選択しても放送チャンネルを地上アナログ放送のチャンネルから地上波ディジタル放送のチャンネルに切り替えるような制御を行うようにしてもよい。
【００３０】
また、例えば、アナログチューナオン／オフ判定部１２Ｄは、アナログチューナ１４が地上アナログ放送波を受信していないと判定した場合に、アナログ放送におけるＥＰＧ信号の取得を停止するような制御を行うようにしてもよい。
【００３１】
なお、アナログチューナオン／オフ判定部１２Ｄが何れの制御処理を行うかは、予めユーザ操作によって設定されることが可能である。
【００３２】
アナログチューナ１４は、アナログチューナオン／オフ判定部１２Ｄの制御によりスイッチ１３がオフからオンにされると、電源１１よりスイッチ１３を配した給電線を通じて給電される。アナログチューナ１４は、電源１１より給電されると、アンテナ（図示せず）において受信される地上アナログテレビジョン放送のＲＦ（Radio Frequency）放送波からユーザが視聴を希望する地上アナログ放送波の信号を選局して復調し、得られた放送信号を映像処理部１５に供給する。
【００３３】
映像処理部１５は、アナログチューナ１４より放送信号が供給されると、この放送信号に所定の信号処理を施して得られた映像信号及び音声信号を表示処理部１８に供給する。
【００３４】
ディジタルチューナ１６は、電源１１より給電されると、例えばＯＦＤＭ（Orthogonal Frequency Division Multiplexing：直交周波数分割多重）変調方式に基づいて変調された信号からユーザが視聴を希望する地上ディジタル放送波のＲＦ信号を選局して復調し、映像データと音声データとが多重化されたトランスポートストリームデータをデコーダ１７に供給する。
【００３５】
デコーダ１７は、ディジタルチューナ１６より映像データと音声データとが多重化されたトランスポートストリームデータが供給されると、このトランスポートストリームデータを復号し、映像信号及び音声信号に変換して表示処理部１８に供給する。
【００３６】
表示処理部１８は、映像処理部１５から供給された映像信号とデコーダ１７から供給された映像信号との切り替え処理を行った後、この切り替え処理によって特定された映像信号とメニューデータ生成部１２Ｅより供給されたメニューデータとを混合する混合処理を行い、混合された映像信号を表示部１９に供給する。
【００３７】
表示部１９は、ＬＣＤ（Liquid Crystal Display）、ＣＲＴ（Cathode Ray Tube）等のディスプレイを備え、表示処理部１８より供給された映像信号をディスプレイに表示する。
【００３８】
なお、テレビジョン放送信号受信装置１は、一旦、アナログチューナ１４がオフにされた場合においてもアナログチューナ１４をオフからオンにすることが可能である。このアナログチューナ１４のオフからオンへの切り替え処理は、例えばユーザのメニュー選択操作に応じて図３に示すアナログチューナ１４のオン／オフ設定メニューｃ１を表示させ、ユーザがアナログチューナをオンにする選択操作を行うことにより、また、例えばユーザのメニュー選択操作によりアナログチューナ１４を工場出荷時に戻す設定がなされることにより実現される。
【００３９】
このような構成を備えるテレビジョン放送信号受信装置１における地上アナログ放送波の停止に基づく制御処理動作の一例について、図４のフローチャートを参照して説明する。
【００４０】
ステップＳ１において、システムコントローラ１２は、地上アナログ放送波の停止に基づく制御処理を開始する。
【００４１】
ステップＳ２において、アナログチューナオン／オフ判定部１２Ｄは、時計情報取得部１２Ａより現在の日付を取得し、取得した現在の日付が予め定められたアナログ放送停波日である２０１１年７月２５日を過ぎたか否かを判定する。このステップＳ２において、現在の日付が２０１１年７月２５日を過ぎたと判定した場合には、ステップＳ３に進み、現在の日付が２０１１年７月２５日を過ぎていないと判定した場合にはステップＳ６に進む。
【００４２】
ステップＳ３において、アナログチューナオン／オフ判定部１２Ｄは、アナログチューナ１４をオフにするか否かをユーザに選択させるメニュー表示を表示するための制御信号をメニューデータ生成部１２Ｅに供給する。メニューデータ生成部１２Ｅは、アナログチューナオン／オフ判定部１２Ｄより供給された制御信号に基づいてアナログチューナ１４をオフにするか否かをユーザに選択させるメニュー表示のメニューデータを生成し、表示処理部１８を介して表示部１９に供給する。表示部１９は、得られたメニューデータに基づいてこのメニュー表示をディスプレイに表示する。
【００４３】
ステップＳ４において、アナログチューナオン／オフ判定部１２Ｄは、ユーザの設定操作により入力された信号に基づいてアナログチューナ１４をオフにするか否かを判定する。このステップＳ４において、アナログチューナオン／オフ判定部１２Ｄは、アナログチューナ１４をオフにすると判定した場合にはステップＳ５に進み、アナログチューナ１４をオフにしないと判定した場合にはステップＳ６に進む。
【００４４】
ステップＳ５において、アナログチューナオン／オフ判定部１２Ｄは、アナログチューナ１４をオンからオフにするための制御信号を生成し、この制御信号をスイッチ１３に供給し、スイッチ１３をオンからオフにする制御を行う。
【００４５】
なお、この処理動作においては、図４の破線に示すように、ステップＳ２においてアナログチューナオン／オフ判定部１２Ｄが、現在の日付が２０１１年７月２５日を過ぎたと判断した場合にステップＳ３及びステップＳ４を経ずにステップＳ５に進むようにしてもよい。
【００４６】
ステップＳ６において、システムコントローラ１２は、地上アナログ放送波の停止に基づく制御処理を終了する。
【００４７】
また、テレビジョン放送信号受信装置１における地上アナログ放送波の停止に基づく制御処理動作の他の例について、図５のフローチャートを参照して説明する。
【００４８】
ステップＳ１１において、システムコントローラ１２は、地上アナログ放送波の停止に基づく制御処理を開始する。
【００４９】
ステップＳ１２において、チューナ選局部１２Ｂは、アナログチューナ１４に対してチャンネルサーチを行い、アナログチューナ１４が地上アナログ放送波を受信しているか否かを判断する。このステップＳ１２において、チューナ選局部１２Ｂは、アナログチューナ１４が地上アナログ放送波を受信していると判断した場合には地上アナログ放送が放送されている旨のチャンネルサーチ情報を生成してアナログチューナオン／オフ判定部１２Ｄに供給し、ステップＳ１３に進む。一方、チューナ選局部１２Ｂは、アナログチューナ１４が地上アナログ放送波を受信していないと判断した場合には地上アナログ放送が放送されていない旨のチャンネルサーチ情報を生成してアナログチューナオン／オフ判定部１２Ｄに供給し、ステップＳ１４に進む。
【００５０】
ステップＳ１３において、アナログチューナオン／オフ判定部１２Ｄは、ユーザによって地上アナログ放送のチャンネル切り替え動作が行われているか否かを判断する。具体的に、このステップＳ１３において、アナログチューナオン／オフ判定部１２Ｄは、一定期間（例えば１ヶ月等）、ユーザによって地上アナログ放送のチャンネル切り替え動作が行われているか否か、すなわち一定期間ユーザが地上アナログ放送を視聴しているか否かを判断する。このステップＳ１３において、アナログチューナオン／オフ判定部１２Ｄは、一定期間ユーザによって地上アナログ放送のチャンネル切り替え動作が行われている、すなわちユーザが地上アナログ放送を視聴していると判断した場合には、ステップＳ１７に進み、一定期間一度もユーザによって地上アナログ放送のチャンネル切り替え動作が行われておらず地上ディジタル放送のチャンネル切り替え動作のみが行われていると判断した場合にはステップＳ１４に進む。
【００５１】
ステップＳ１４において、アナログチューナオン／オフ判定部１２Ｄは、アナログチューナ１４をオフにするか否かをユーザに選択させるメニュー表示を表示するための制御信号をメニューデータ生成部１２Ｅに供給する。メニューデータ生成部１２Ｅは、アナログチューナオン／オフ判定部１２Ｄより供給された制御信号に基づいてアナログチューナ１４をオフにするか否かをユーザに選択させるメニュー表示のメニューデータを生成し表示処理部１８を介して表示部１９に供給する。表示部１９は、得られたメニューデータに基づいてこのメニュー表示をディスプレイに表示する。
【００５２】
ステップＳ１５において、アナログチューナオン／オフ判定部１２Ｄは、ユーザの設定操作により入力された信号に基づいてアナログチューナ１４をオフにするか否かを判定する。このステップＳ１５において、アナログチューナオン／オフ判定部１２Ｄは、アナログチューナ１４をオフにすると判定した場合にはステップＳ１６に進み、アナログチューナ１４をオフにしないと判定した場合にはステップＳ１７に進む。
【００５３】
なお、この処理動作においては、図５の破線に示すように、ステップＳ１３においてアナログチューナオン／オフ判定部１２Ｄが、一定期間一度もユーザによって地上アナログ放送のチャンネル切り替え動作が行われておらず地上ディジタル放送のチャンネル切り替え動作のみが行われていると判断した場合にはステップＳ１４及びステップＳ１５を経ずにステップＳ１６に進むようにしてもよい。
【００５４】
以上説明した本実施の形態におけるテレビジョン放送信号受信装置１は、地上波アナログ放送が終了した後にユーザが誤って地上波アナログ放送を選局することを防止し、利便性を向上させるとともに省エネルギー化を実現することが可能となる。
【００５５】
なお、本発明は上述した実施の形態のみに限定されるものではなく、本発明の要旨を逸脱しない範囲において種々の変更が可能であることは勿論である。
【００５６】
上述した実施の形態では、アナログチューナ１４が地上アナログ放送波を受信しないと判定した場合に地上アナログ放送波の停波に基づく制御処理を行うようにしたが、例えば、アナログチューナを使用しない場合においても、ユーザが、メニュー表示が有するアナログチューナオン／オフメニューでアナログチューナをオフにするように選択操作することによりこの制御処理を行うようにしてもよい。
【００５７】
また、例えば、アナログチューナオン／オフ判定部１２Ｄは、アナログチューナ１４が地上アナログ放送波を受信していないと判定した場合に、表示部１９が備えるディスプレイに表示されるメニュー表示画面における地上アナログ放送波の受信に関する表示を削除する代わりに、この地上アナログ放送波の受信に関する表示に対し、輝度を低下させる、カラーからモノクロにする等の変更を加え、ユーザがこの表示にカーソルを移動させても選択操作ができないような制御を行うようにしてもよい。
【図面の簡単な説明】
【００５８】
【図１】本実施の形態におけるテレビジョン放送信号受信装置の構成を示す図である。
【図２】（Ａ）は、ホームメニューにおける地上波アナログ放送のチャンネル表示を示す図であり、（Ｂ）は、地上波アナログ放送の受信設定表示を示す図である。
【図３】アナログチューナのオン又はオフを設定するためのメニュー表示画面を示す図である。
【図４】地上アナログ放送波の停止に基づく制御処理動作の一例を示す図である。
【図５】地上アナログ放送波の停止に基づく制御処理動作の一例を示す図である。
【符号の説明】
【００５９】
１  テレビジョン放送信号受信装置、１１  電源、１２  システムコントローラ、１３  スイッチ、１４  アナログチューナ、１５  映像処理部、１６  ディジタルチューナ、１７  デコーダ、１８  表示処理部、１９  表示部
【図１】
2009021960.tif 000003
【図２】
2009021960.tif 000004
【図３】
2009021960.tif 000005
【図４】
2009021960.tif 000006
【図５】
2009021960.tif 000007